(57)【特許請求の範囲】
【請求項１】
複数の番組の情報と、前記複数の番組の一覧情報をなす番組一覧情報とがパケット形態で多重化して伝送されているデジタル信号を受信し、
前記デジタル信号から前記番組一覧情報を抽出し、
記録に供するために、前記複数の番組の中の一部の番組を構成する情報を含んだパケットのみを抽出するとともに、前記番組一覧情報の内容から前記一部の番組以外の番組の情報を削除した新たな番組一覧情報を生成し、
前記抽出したパケットと前記新たな番組一覧情報とを多重化して伝送するようにしたことを特徴とするデジタル信号処理方法。
【請求項２】
前記デジタル信号は、ＰＡＴ及びＰＭＴを含むＭＰＥＧトランスポートストリームの形態で伝送されており、
前記一部の番組を構成する情報を含んだパケットを抽出する際には、この抽出に伴って前記ＰＡＴ及びＰＭＴ内の情報を書き換えるようにしたことを特徴とする請求項１記載のデジタル信号処理方法。
【請求項３】
前記複数の番組のパケット及び前記番組一覧情報のパケットには、それぞれ異なるパケットＩＤが付加されており、
前記番組一覧情報の抽出時には、前記パケットＩＤを用いて前記番組一覧情報が抽出されることを特徴とする請求項１又は２に記載のデジタル信号処理方法。
【請求項４】
複数の番組の情報と、前記複数の番組の一覧情報をなす番組一覧情報とがパケット形態で多重化して伝送されているデジタル信号を受信する受信手段と、
前記デジタル信号から前記番組一覧情報を抽出する番組一覧情報抽出手段と、
記録に供するために、前記複数の番組の中の一部の番組を構成する情報を含んだパケットのみを抽出する番組抽出手段と、
前記番組一覧情報の内容から前記一部の番組以外の番組の情報を削除した新たな番組一覧情報を生成する番組一覧情報生成手段と、
前記抽出したパケットと前記新たな番組一覧情報とを多重化して伝送する伝送手段とを備えることを特徴とするデジタル信号処理装置。
【発明の詳細な説明】
【０００１】
【発明の属する技術分野】
本発明は、デジタル放送受信機を内蔵したデジタル記録再生装置などにおいて、記録媒体に記録された番組に関するＥＰＧ（Ｅｌｅｃｔｒｉｃ  Ｐｒｏｇｒａｍ  Ｇｕｉｄｅ）情報のみを選択して再生時に表示するデジタル信号処理方法及びデジタル信号処理装置に関する。
【０００２】
【従来の技術】
従来、視聴者は、例えばテレビジョン受像器などによって、放送プログラム（番組）を視聴する場合、新聞などに掲載されているテレビ番組欄から、所望の番組を見つけ出し、その番組の放送時刻に、その番組の放送チャンネルを受信するように、テレビジョン受像機、あるいはテレビジョン受像機を制御するためのリモートコントローラを操作していた。
【０００３】
また、新聞などが手元にない場合や、あるいは新聞が手元にあっても、それを見るのが面倒な場合には、テレビジョン受像機やリモートコントローラを操作して受信チャンネルを順次変更することにより、画面に表示させる番組を選択するようにしていた。
【０００４】
従って、所望する番組の情報を得るのに、新聞を見るか、あるいは受信チャンネルを順次変更するための操作を行わなければならず、面倒であった。
【０００５】
そこで、例えば衛星などを介して、各チャンネル（各放送局）の情報（例えば放送チャンネルや、番組の放送開始時刻、番組のタイトルなど新聞のテレビ番組欄に記載されている情報に相当する情報など）で構成されたＥＰＧ（Ｅｌｅｃｔｒｉｃ  Ｐｒｏｇｒａｍ  Ｇｕｉｄｅ：電子番組ガイド）を配信し、受信側ではこのＥＰＧを表示するという方法が開発されている。従って、視聴者は、このＥＰＧを見ることにより所望する番組の情報を得ることができる。
【０００６】
上述したＥＰＧなどの情報は、デジタル放送においては放送信号中に多重化されて配信されている。まず、ディジタル放送における送出信号の多重化について図２を参照して説明する。ディジタル放送信号は、ＭＰＥＧトランスポートストリームで伝送されるとすると、まず、ある番組（例えば番組１）のビデオ信号やオーディオ信号は、ＭＰＥＧ２の圧縮フォーマットに従って圧縮され、ＰＥＳ（Ｐａｃｋｅｔｉｚｅｄ  Ｅｌｅｍｅｎｔａｒｙ  Ｓｔｒｅａｍ）パケットと呼ばれる可変長のパケットを構成し、文字多重などのデータ信号のＰＥＳパケットと共に時分割多重される。
【０００７】
ＰＥＳパケットは、オーディオ及びビデオの提示時刻を与えるＰＴＳ（Ｐｒｅｓｅｎｔａｔｉｏｎ  Ｔｉｍｅ  Ｓｔａｍｐ）と、復号開始時刻を与えるＤＴＳ（Ｄｅｃｏｄｉｎｇ  Ｔｉｍｅ  Ｓｔａｍｐ）の２種類のタイムスタンプ、ＰＥＳパケット単位のスクランブリングを行うための制御信号、著作権の有無を示すフラグやＣＲＣ（Ｃｙｃｌｉｃ  Ｒｅｄｕｎｄａｎｃｙ  Ｃｈｅｃｋ）などの情報が含まれたＰＥＳヘッダと、データ部分のＰＥＳペイロードからなる。
【０００８】
次に、このようにして得られた信号を、他の番組の情報や暗号化の情報と多重化して送り出すために、ＴＳ（Ｔｒａｎｓｐｏｒｔ  Ｓｔｒｅａｍ）パケットに載せる。ＴＳパケットは、１８８バイトの固定長パケットであり、４バイト固定長のＴＳヘッダ、ＴＳヘッダの後に続く可変長のアダプテーション・フィールド及びペイロードで構成される。
【０００９】
上述したＰＥＳパケット及びＴＳパケットの構成を図３に示す。同図によれば、ＰＥＳパケットは分割されて、ＴＳパケットのペイロード部分に挿入されて伝送される。ＴＳパケットのヘッダには、ＰＩＤ（Ｐａｃｋｅｔ  ＩＤ）と呼ばれる１３ビットの識別子が挿入されており、ＰＥＳパケットは同じＰＩＤ番号を持つ複数のＴＳパケットのペイロードに分割されて伝送されている。なお、番組の区別は、ＴＳパケットのＰＩＤ番号により区別される。ここで、番組が限定受信の対象になる場合には、その番組の信号をＴＳパケットのペイロードに載せるに先立って、図２に示すように、スクランブル鍵Ｋｓによりスクランブルする。スクランブル鍵Ｋｓ及び番組の属性情報は、ＥＣＭ（Ｅｎｔｉｔｌｅｍｅｎｔ  ｃｏｎｔｒｏｌ  Ｍｅｓｓａｇｅ）として、ワーク鍵Ｋｗにより暗号化された後、ＴＳパケット化されて多重化される。他の番組（ここでは番組２…番組ｋ）についても同様にＰＥＳパケットが構成され、ＴＳパケット化された後、他の番組の情報などと時分割多重される。ワーク鍵Ｋｗは、他の契約情報と共にＥＭＭ（Ｅｎｔｉｔｌｅｍｅｎｔ  Ｍａｎａｇｅｍｅｎｔ  Ｍｅｓｓａｇｅ）として、所定のＰＩＤを持つＴＳパケットとして伝送される。図４に、ＥＣＭとＥＭＭの具体的な内容及び構成するビット数を示す。所定のＰＩＤを有するＴＳパケットとして多重化されるものとしては、他にＥＰＧ用の番組一覧情報や放送業者が独自に設定した情報などがある。
【００１０】
次に、上記デジタル放送の受信及び記録について説明する。図５は、デジタル衛星放送受信機内蔵型のデジタル記録再生装置を示すブロック図である。同図において、アンテナ２０１から入来するデジタル放送信号は、フロントエンド２０２において周波数変換、復調、誤り訂正などの処理を施されてベースバンドのデジタル信号となり、スイッチ２０３に供給される。このとき、スイッチ２０３の可動切片はａ側とする。スイッチ２０３からの出力信号には複数の番組が時分割多重されているが、デ・マルチプレクサ２０４により、その出力信号の中から所望の番組に関する信号が抽出される。
【００１１】
上述したように、１つの番組を構成するビデオ信号、オーディオ信号及びデータ信号は、ＭＰＥＧ２のビデオ・オーディオ符号化規格及びＪＰＥＧなどの規格を使用して符号化され、ＥＳ（Ｅｌｅｍｅｎｔａｒｙ  Ｓｔｒｅａｍ）信号となり、次に、これらの信号はＭＰＥＧ２システム規格に基づきＰＥＳに変調された後、多重化されＴＳ信号となり、変調して放送されている。ＭＰＥＧ２システム規格では、これらの多重された信号を受信機で分離し、復号するために必要な情報や番組名などの情報をＰＡＴ（Ｐｒｏｇｒａｍ  Ａｓｓｏｃｉａｔｉｏｎ  Ｔａｂｌｅ）信号やＰＭＴ（Ｐｒｏｇｒａｍ  Ｍａｐ  Ｔａｂｌｅ）などのテーブルの形でＴＳ信号に多重して送信している。
【００１２】
図６はデ・マルチプレクサ２０４の機能をブロック図で表したものである。まず、入力したＴＳ信号の中からＰＩＤが所定の値に固定されているＰＡＴ（Ｐｒｏｇｒａｍ  Ａｓｓｏｃｉａｔｉｏｎ  Ｔａｂｌｅ）信号を、この所定のＰＩＤ（例えば“０”）の検出により抽出し、メモリ１０７内の所定の領域（ここでは領域１）に格納する。ＰＡＴ信号には、各プログラム番号（１６ビット）毎にＰＭＴ（Ｐｒｏｇｒａｍ  Ｍａｐ  Ｔａｂｌｅ）のＰＩＤリストが入っており、この内容を解析することにより、所望の番組のＰＭＴを受信するには、どのＰＩＤのパケットを抽出すれば良いかを知ることが出来る。上述したＰＡＴ信号の抽出及び解析はＰＡＴ抽出／解析手段１０３によって行われる。
【００１３】
ＰＡＴ信号を抽出することによって得た所望の番組のＰＭＴには、そのプログラムを構成するビデオ、オーディオ、データなどのストリームが伝送されているパケットのＰＩＤリストが記されている。ＰＭＴは、ＰＡＴ抽出／解析手段１０４によってＴＳ信号から抽出され、メモリ１０７内の所定の領域（ここでは領域２）に格納される。また、ＰＡＴ信号を解析することにより、所望の番組のビデオ・オーディオなどのデータが抽出できる。
【００１４】
ＥＭＭ等の限定受信に必要な情報（視聴可能化情報）は、所定のＰＩＤを有するパケットを抽出する事により得られ、メモリ１０７内の所定の領域（ここでは領域４）に格納される。
【００１５】
ＥＭＭの抽出及び復号化はＥＭＭ抽出／復号化手段１０１によって行われる。ＥＭＭの抽出はＴＳ信号中の所定のＰＩＤを有するパケットを抽出することにより行われ、ＥＭＭの復号化は、受信装置内に保存されているマスター鍵Ｋｍにより解読される。なお、ＥＭＭは例えば数日から１ヶ月の間隔で伝送されるもので、常に伝送されているものではないが、ワーク鍵Ｋｗとしてはメモリ１０７の領域４に蓄積されている最新のものを用いる。
【００１６】
抽出されたビデオ・オーディオなどのデータにスクランブルがかけられているときには、これを解除する。そのためにはスクランブル鍵Ｋｓを求める必要がある。スクランブル鍵ＫｓはＥＣＭによって伝送されているので、ＰＭＴに記されている当該番組のＥＣＭについてのＰＩＤに基づいて、ＥＣＭ抽出／復号化手段１０２によってＴＳ信号からＥＣＭを抽出する。
【００１７】
ＥＣＭはスクランブル鍵Ｋｓにより暗号化されているので、ＥＭＭに記されているワーク鍵Ｋｗを用いて、ＥＣＭ抽出／復号化手段１０２により、この暗号化を解除し復号化する。そして、メモリ１０７内の所定の領域（ここでは領域３）に格納する。
【００１８】
デ・マルチプレクサ２０４のパケット抽出／デ・スクランブル手段１０５により抽出され、スクランブルが解除された所望の番組に関する信号のうち、ビデオ信号及びオーディオ信号は、例えばＭＰＥＧ２の圧縮方式で圧縮されている。この圧縮をｖｉｄｅｏ／ａｕｄｉｏデコーダ２０６によりデコードし、更に、図示しないＤ／Ａコンバータによりアナログ信号に変換する。そして、ＮＴＳＣ／ＰＡＬエンコーダ２０７によって、ＮＴＳＣ信号やＰＡＬ信号などの標準のＴＶ方式の信号として出力する。
【００１９】
受信したデジタル放送信号を記録媒体に記録するときには、デ・マルチプレクサ２０４のパケット抽出／デ・スクランブル手段１０５により、記録に供する信号が抽出され、同時に記録されるＰＡＴ情報及びＰＭＴ情報は、デ・マルチプレクサ２０４のＰＡＴ，ＰＭＴ書き換え手段１０６によって、記録する信号に関するものに限定した内容に書き換えられる。そして、多重化手段１０８によってビデオ信号やオーディオ信号などは書き換えられたＰＡＴ，ＰＭＴと多重化され、記録再生部２０５によって記録される。
【００２０】
記録媒体に記録された信号を再生するときには、スイッチ２０３の可動切片をｂ側とし、デ・マルチプレクサ２０４によって再生されたデジタル信号のうち、所望の番組に関するビデオ信号及びオーディオ信号等、信号の復元に必要な情報が取り出され、放送受信時と同様に処理される。
【００２１】
【発明が解決しようとする課題】
上述したようなデジタル放送受信機一体型の記録再生装置においては、受信したデジタル放送信号のうち、一部の番組を記録するが、デジタル放送において送られてくるＥＰＧ情報をそのまま記録再生して表示すると、記録していない番組に関する情報もＥＰＧのリストに入り、再生時に番組を選択するとき混乱を来すという問題があった。それを回避するためにＥＰＧ情報を記録しないようにすると、記録された番組が単一の場合には混乱無く再生できるが、番組が複数記録されるときには、ＥＰＧによる番組の選択ができなくなるので、何らかの方法により番組の選択をする必要がある。このとき、ＥＰＧ以外の番組選択の機構を設けると、放送受信時と再生時とで異なる番組選択システムが必要となり、装置が複雑になるという問題があった。また、単一の番組を記録する場合においても、ＥＰＧ情報を全く記録しないと、記録する番組に関するジャンル等の付加情報が失われて利用時に不便になるという問題点があった。
【００２２】
【課題を解決するための手段】
以上の課題を解決するために、本発明に係るデジタル信号処理方法は、複数の番組の情報と、前記複数の番組の一覧情報をなす番組一覧情報とがパケット形態で多重化して伝送されているデジタル信号を受信し、前記デジタル信号から前記番組一覧情報を抽出し、記録に供するために、前記複数の番組の中の一部の番組を構成する情報を含んだパケットのみを抽出するとともに、前記番組一覧情報の内容から前記一部の番組以外の番組の情報を削除した新たな番組一覧情報を生成し、前記抽出したパケットと前記新たな番組一覧情報とを多重化して伝送するようにしたことを特徴とするものである。
また、本発明に係るデジタル信号処理方法において、前記デジタル信号は、ＰＡＴ及びＰＭＴを含むＭＰＥＧトランスポートストリームの形態で伝送されており、前記一部の番組を構成する情報を含んだパケットを抽出する際には、この抽出に伴って前記ＰＡＴ及びＰＭＴ内の情報を書き換えるようにしたことを特徴とするものである。
また、本発明に係るデジタル信号処理方法において、前記複数の番組のパケット及び前記番組一覧情報のパケットには、それぞれ異なるパケットＩＤが付加されており、前記番組一覧情報の抽出時には、前記パケットＩＤを用いて前記番組一覧情報が抽出されることを特徴とするものである。
また、本発明に係るデジタル信号処理装置は、複数の番組の情報と、前記複数の番組の一覧情報をなす番組一覧情報とがパケット形態で多重化して伝送されているデジタル信号を受信する受信手段と、前記デジタル信号から前記番組一覧情報を抽出する番組一覧情報抽出手段と、記録に供するために、前記複数の番組の中の一部の番組を構成する情報を含んだパケットのみを抽出する番組抽出手段と、前記番組一覧情報の内容から前記一部の番組以外の番組の情報を削除した新たな番組一覧情報を生成する番組一覧情報生成手段と、前記抽出したパケットと前記新たな番組一覧情報とを多重化して伝送する伝送手段とを備えることを特徴とするものである。
【００２３】
【発明の実施の形態】
図１は本発明に係るデジタル信号処理方法及びデジタル信号処理装置の一実施例を示すブロック図である。なお、従来例と同じ構成要素については同一の符号を付して説明を省略する。アンテナ２０１から入来するデジタル放送信号は、フロントエンド２０２において周波数変換、復調、誤り訂正などの処理を施されてベースバンドのデジタル信号となり、スイッチ２０３に供給される。このとき、スイッチ２０３の可動切片はａ側とする。スイッチ２０３からの出力信号には複数の番組が時分割多重されているが、デ・マルチプレクサ２０４により、その出力信号の中から所望の番組に関する信号が抽出される。
【００２４】
デ・マルチプレクサ２０４により抽出されスクランブルが解除された所望の番組に関する信号のうち、ビデオ信号及びオーディオ信号は、例えばＭＰＥＧ２の圧縮方式で圧縮されている。この圧縮をｖｉｄｅｏ／ａｕｄｉｏデコーダ２０６によりデコードし、さらに、図示しないＤ／Ａコンバータによりアナログ信号に変換する。そして、ＮＴＳＣ／ＰＡＬエンコーダ２０７によって、ＮＴＳＣ信号やＰＡＬ信号などの標準のＴＶ方式の信号として出力する。
【００２５】
ＥＰＧ用のデータは所定のＰＩＤをもつパケットで送られるので、ＥＰＧ抽出手段１によって、ＴＳ信号中から所定のＰＩＤをもつパケットを抽出することで、ＥＰＧ情報の抽出が行われる。
【００２６】
放送受信時には、抽出されたＥＰＧ情報をＥＰＧ情報メモリ３に蓄え、必要に応じてＥＰＧ画面作成回路４により画面上に表示する。視聴者は番組選択処理手段５を使用して所定の操作を行うことにより、番組選択や番組予約を行うことができるが、所望の番組を記録媒体に記録するときには、ＴＳ信号から抽出したＥＰＧ情報のうち、記録する番組に関するもののみをＥＰＧ抽出／書き換え手段２によって選択抽出し、これらの番組が記録媒体に記録されたものであることを示す情報を付加する。このためには、特定のビットを付加情報用に割り当てて識別する方法があり、また、開始時刻や終了時刻等の時刻情報において、例えば「３２日」や「２５時」など実際の時刻を表すためには使用しない値を使用することにより、これらの番組が記録媒体に記録されたものであること示す様にしても良い。
【００２７】
このようにして書き換えられたＥＰＧ情報は、ビデオやオーディオ等の情報を表すパケットや、記録される番組に関するものに書き換えられたＰＡＴ、ＰＭＴとともに多重化手段１０８によって多重化され、記録再生部２０５にて記録媒体に記録される。
【００２８】
番組が記録された記録媒体の再生時には、スイッチ２０３の可動接片をｂ側に切り換え、再生されたＴＳ信号からＥＰＧ情報を抽出して放送受信時と同様に処理する。記録時において、ＥＰＧ情報の内容は記録される番組のみの情報に書き換えられているので、再生時に視聴者がＥＰＧを表示させると、記録されている番組に関する内容のみ表示される。また、上述したように番組が記録媒体に記録されたものである情報が付加情報として入っているので、この情報を用いて、記録された番組であることを画面上に文字、記号或いは色分け等により表示しても良い。
【００２９】
番組選択については、１番組の記録のときは自動的に１つに決まるが、複数の番組を記録したときには、放送されている番組をＥＰＧ情報によって選択するときと同様に、記録された番組の中から特定の番組を選択することができ、ＥＰＧ情報の中に入っているジャンルや出演者等の付加情報についても、放送受信時と同様の操作で表示することができる。
【００３０】
また、別の方法として、ＰＡＴ情報及びＰＭＴ情報については記録する番組に限定した内容に書き換えるが、ＥＰＧ情報については書き換えを行わずに受信したものをそのまま記録して、再生時に再生信号から抽出されたＰＡＴ情報及び／又はＰＭＴ情報と、ＥＰＧ情報中の番組情報とを比較することにより、ＰＡＴ情報及び／またはＰＭＴ情報に記載されていない番組については記録されていない番組とみなすことが出来る。このようにして、ＥＰＧ情報に記された番組を記録されたものと記録されていないものに分類し、ＥＰＧを表示する際に、この区別ができるように表示する。また、番組を選択するときに、記録されていない番組の選択を受け付けないようにしたり、ＥＰＧを表示するときに、記録されていない番組は表示しないようにしても良い。
【００３１】
以上、記録再生装置について述べたが、本発明はこれに限らず、デジタル放送を受信してその中から一部の番組を選択して、記録する代わりにディジタル伝送路を通じて他の機器に送出する装置や、記録媒体からの再生信号の代わりに上記の様に選択伝送された信号を受信して処理する装置にも適用する事が出来る。
【００３２】
【発明の効果】
本発明に係るデジタル信号処理方法及びデジタル信号処理装置によれば、ＥＰＧ情報に含まれる各番組の情報から記録再生装置で録画した番組に関するものだけを表示するようにしたので、録画した番組を容易に選択することができる。
【図面の簡単な説明】
【図１】本発明に係るデジタル信号処理方法及びデジタル信号処理装置の一実施例を示すブロック図である。
【図２】ディジタル放送における送出信号の多重化を示す図である。
【図３】ＰＥＳパケット及びＴＳパケットの構成を示す図である。
【図４】ＥＣＭ及びＥＭＭの内容及び構成ビット数を示す図である。
【図５】従来のデジタル信号処理方法及びデジタル信号処理装置の一例を示すブロック図である。
【図６】従来のデジタル信号処理装置に使用するデ・マルチプレクサを示す図である。
【符号の説明】
１    ＥＰＧ情報抽出手段
２    抽出／書き換え手段
３    ＥＰＧ情報メモリ
４    ＥＰＧ画面作成手段
５    番組選択処理手段
１０１    ＥＭＭ抽出／復号化手段
１０２    ＥＣＭ抽出／復号化手段
１０３    ＰＡＴ抽出／解析手段
１０４    ＰＭＴ抽出／解析手段
１０５    パケット抽出／デ・スクランブル手段
１０６    ＰＡＴ，ＰＭＴ書き換え手段
１０７    メモリ
１０８    多重化手段
２０１    アンテナ
２０２    フロントエンド
２０３    スイッチ
２０４    デ・マルチプレクサ
２０５    記録再生部
２０６    ｖｉｄｅｏ／ａｕｄｉｏデコーダ
２０７    ＮＴＳＣ／ＰＡＬエンコーダ
【図１】
0003587341.tif 000002
【図２】
0003587341.tif 000003
【図３】
0003587341.tif 000004
【図４】
0003587341.tif 000005
【図５】
0003587341.tif 000006
【図６】
0003587341.tif 000007